(57)【要約】【課題】  ティッシュペーパーを使い切った後にゴミ袋として再利用可能なティッシュペーパー箱を提供する。【解決手段】  ティッシュペーパー箱本体１の底壁２の内面３に、プラスチック袋４を折畳んだ状態にて固着する。ティッシュペーパー箱本体１を反転して折曲可能にするミシン目７をティッシュペーパー箱本体１に形成する。ミシン目７に沿って分離し反転して折曲げたティッシュペーパー箱本体１が、展開状態であって反転したプラスチック袋４の底面寄りの内部に保持されてゴミ袋を形成するように構成する。【選択図】  図２
0003106681.tif 000002
【実用新案登録請求の範囲】
【請求項１】
ティッシュペーパー箱本体（１）の底壁（２）の内面（３）に、プラスチック袋（４）を折畳んだ状態にて固着したことを特徴とするティッシュペーパー箱。
【請求項２】
ティッシュペーパー箱本体（１）の底壁（２）の内面（３）に、プラスチック袋（４）を折畳んだ状態にて固着するとともに、上記ティッシュペーパー箱本体（１）を反転して折曲可能にするミシン目（７）を該ティッシュペーパー箱本体（１）に形成し、さらに、該ミシン目（７）に沿って分離し上記反転して折曲げた上記ティッシュペーパー箱本体（１）が、展開状態であって反転した上記プラスチック袋（４）の底面（８）寄りの内部に保持されてゴミ袋を形成するように構成したことを特徴とするティッシュペーパー箱。
【請求項３】
底壁部（５）が矩形平面部（６）を有するプラスチック袋（４）を折畳んだ状態にて、ティッシュペーパー箱本体（１）の底壁（２）の内面（３）に、上記矩形平面部（６）を接着するとともに、上記ティッシュペーパー箱本体（１）を反転して折曲可能にするミシン目（７）を該ティッシュペーパー箱本体（１）に形成し、さらに、該ミシン目（７）に沿って分離し上記反転して折曲げた上記ティッシュペーパー箱本体（１）が、展開状態であって反転した上記プラスチック袋（４）の底面（８）寄りの内部に保持されてゴミ袋を形成するように構成したことを特徴とするティッシュペーパー箱。
【考案の詳細な説明】
【技術分野】
【０００１】
本考案は、ティッシュペーパー箱に関する。
【背景技術】
【０００２】
従来、ティッシュペーパー箱は、内部に収納されたティッシュペーパーを使用し終わると、直ちにゴミとして捨てられていた。
【０００３】
すなわち、再利用されていなかった。
【考案の開示】
【考案が解決しようとする課題】
【０００４】
解決しようとする課題は、再利用できない点である。
【課題を解決するための手段】
【０００５】
そこで、本考案に係るティッシュペーパー箱は、ティッシュペーパー箱本体の底壁の内面に、プラスチック袋を折畳んだ状態にて固着したものである。また、ティッシュペーパー箱本体の底壁の内面に、プラスチック袋を折畳んだ状態にて固着するとともに、上記ティッシュペーパー箱本体を反転して折曲可能にするミシン目を該ティッシュペーパー箱本体に形成し、さらに、該ミシン目に沿って分離し上記反転して折曲げた上記ティッシュペーパー箱本体が、展開状態であって反転した上記プラスチック袋の底面寄りの内部に保持されてゴミ袋を形成するように構成したものである。また、底壁部が矩形平面部を有するプラスチック袋を折畳んだ状態にて、ティッシュペーパー箱本体の底壁の内面に、上記矩形平面部を接着するとともに、上記ティッシュペーパー箱本体を反転して折曲可能にするミシン目を該ティッシュペーパー箱本体に形成し、さらに、該ミシン目に沿って分離し上記反転して折曲げた上記ティッシュペーパー箱本体が、展開状態であって反転した上記プラスチック袋の底面寄りの内部に保持されてゴミ袋を形成するように構成したものである。
【考案の効果】
【０００６】
本考案のティッシュペーパー箱によれば、ティッシュペーパーを使い切った後にも、ティッシュペーパー箱をゴミ袋として再利用することができる。また、プラスチック袋の底面部はティッシュペーパー箱本体によって補強されて破れにくくなる。さらに、反転したプラスチック袋の内部に、（捨てるべき）ティッシュペーパー箱本体が収納されるので好都合である。
【考案を実施するための最良の形態】
【０００７】
図１・図２は、本考案の実施の一形態を示す。このティッシュペーパー箱は、ティッシュペーパー箱本体１の底壁２の内面３に、透明プラスチック袋４が折畳んだ状態にて固着されている。具体的には、底壁部５（図８参照）が矩形平面部６を有するプラスチック袋４を折畳んだ状態にて、ティッシュペーパー箱本体１の底壁２の内面３に、矩形平面部６が接着されている。
【０００８】
ティッシュペーパー箱本体１を反転して折曲可能にするミシン目７が、ティッシュペーパー箱本体１に形成されている。ミシン目７に沿って分離し反転して折曲げたティッシュペーパー箱本体１が、図９に示すように、展開状態であって反転したプラスチック袋４の底面８（図８参照）寄りの内部に保持されてゴミ袋を形成するように構成されている。
【０００９】
ミシン目７は、図２に１点鎖線にて示す折曲げ線（谷折り線）Ａから所定寸法Ｈをもって、折曲げ線Ａと平行に形成される平行線部７ａと、平行線部７ａに連設されてティッシュペーパー取出し孔形成ミシン目Ｍにつながる斜線部７ｂとから成る。さらに具体的には、平行線部７ａは、ティッシュペーパー箱本体１の組立状態に於ける上下方向の辺Ｌ（折曲げ線Ａ）と平行に形成されている。上記所定寸法Ｈは、５mm≦Ｈ≦10mmに設定されている。所定寸法Ｈが上記範囲にある場合、ミシン目７を分離するときに、容易に分離することができる。所定寸法Ｈが、上記範囲外にある場合、ミシン目７に沿って分離するときに、分離しにくい。
【００１０】
図３〜図９に於て、本考案のティッシュペーパー箱の使用方法と、ゴミ袋としての再利用方法を示す。
図３は、使用状態を示す。すなわち、ティッシュペーパー箱本体１の内部にティッシュペーパーＴが収納されている。
図４は、ティッシュペーパーＴを使い切った状態を示す。ティッシュペーパーＴを使い切ったら、ミシン目７（図１・図２参照）に沿って分離し、図５・図６に示すように反転して折曲げる。（このとき、ティッシュペーパー箱本体１の一部を必要に応じて破断する。）
【００１１】
次に、図７〜図９に示すように、プラスチック袋４を展開状態としつつ反転させる。ティッシュペーパー箱本体１がプラスチック袋４の底面８寄りの内部に保持されてゴミ袋を形成する。
【００１２】
なお、本考案は、設計変更可能であって、例えば、プラスチック袋４が半透明又は不透明であるも好ましい。
【００１３】
以上のように、本考案は、ティッシュペーパー箱本体１の底壁２の内面３に、プラスチック袋４を折畳んだ状態にて固着したので、ティッシュペーパーＴを使い切った後にも、ティッシュペーパー箱をゴミ袋として再利用することができる。特に、ゴミ袋として使用する際、ティッシュペーパー箱本体１によって、プラスチック袋４の底面部が補強されて破れにくくなり、また、床や地面等に載置したときの姿勢が安定する。
また、ティッシュペーパー箱本体１の底壁２の内面３に、プラスチック袋４を折畳んだ状態にて固着するとともに、ティッシュペーパー箱本体１を反転して折曲可能にするミシン目７をティッシュペーパー箱本体１に形成し、さらに、ミシン目７に沿って分離し反転して折曲げたティッシュペーパー箱本体１が、展開状態であって反転したプラスチック袋４の底面８寄りの内部に保持されてゴミ袋を形成するように構成したので、ティッシュペーパーＴを使い切った後にも、ティッシュペーパー箱をゴミ袋として再利用することができる。特に、ゴミ袋として使用する際、ティッシュペーパー箱本体１によって、プラスチック袋４の底面部が補強されて破れにくくなり、また、床や地面等に載置したときの姿勢が安定する。また、ミシン目７によって、容易にティッシュペーパー箱本体１を分離し反転することができる。
【００１４】
また、底壁部５が矩形平面部６を有するプラスチック袋４を折畳んだ状態にて、ティッシュペーパー箱本体１の底壁２の内面３に、矩形平面部６を接着するとともに、ティッシュペーパー箱本体１を反転して折曲可能にするミシン目７をティッシュペーパー箱本体１に形成し、さらに、ミシン目７に沿って分離し反転して折曲げたティッシュペーパー箱本体１が、展開状態であって反転したプラスチック袋４の底面８寄りの内部に保持されてゴミ袋を形成するように構成したので、ティッシュペーパーＴを使い切った後にも、ティッシュペーパー箱をゴミ袋として再利用することができる。特に、ゴミ袋として使用する際、ティッシュペーパー箱本体１によって、プラスチック袋４の底面部が補強されて破れにくくなり、また、床や地面等に載置したときの姿勢が安定する。また、ミシン目７によって、容易にティッシュペーパー箱本体１を分離し反転することができる。また、プラスチック袋４が矩形平面部６を有するので、プラスチック袋４を反転させた状態に於ける形状を美しく整えることができる。
【図面の簡単な説明】
【００１５】
【図１】本考案の実施の一形態を示す簡略斜視図である。
【図２】展開図を示す平面図である。
【図３】使用状態を示す簡略断面正面図である。
【図４】使用直後の状態を示す簡略断面正面図である。
【図５】簡略断面正面図である。
【図６】簡略断面正面図である。
【図７】簡略断面正面図である。
【図８】底面図である。
【図９】斜視図である。
【符号の説明】
【００１６】
１  ティッシュペーパー箱本体
２  底壁
３  内面
４  プラスチック袋
５  底壁部
６  矩形平面部
７  ミシン目
８  底面
【図１】
0003106681.tif 000003
【図２】
0003106681.tif 000004
【図３】
0003106681.tif 000005
【図４】
0003106681.tif 000006
【図５】
0003106681.tif 000007
【図６】
0003106681.tif 000008
【図７】
0003106681.tif 000009
【図８】
0003106681.tif 000010
【図９】
0003106681.tif 000011